(57)【要約】      （修正有）【課題】１台の情報端末から画像の配信を受ける複数の表示装置のタッチスクリーンに対してそれぞれ操作が行われる場合に、ユーザの意図しない動作が実行されることを抑制する。【解決手段】表示制御システムＳにおいて、表示制御装置１のプロセッサは、情報端末３からディスプレイ３１に表示される第１画像を示す画像情報を受信し、画像情報に基づいて第１表示装置と第２表示装置とを制御して、第１タッチスクリーンと第２タッチスクリーンとに第１画像を表示させる。第１タッチスクリーンのうち第１画像が表示された範囲に指または物体を接触させるタッチ操作がおこなわれた場合に、第１表示装置から第１画像上の接触位置を示す第１座標情報を受信し、第２タッチスクリーンに表示された第１画像上の第１座標情報に対応する位置に第２画像を重畳して表示し、受信した第１座標情報を情報端末に送信する。【選択図】図２
2020057085.tif 000002
【特許請求の範囲】
【請求項１】
ディスプレイを有する情報端末、第１タッチスクリーンを有する第１表示装置、および第２タッチスクリーンを有する第２表示装置とネットワークを介して接続する表示制御装置であって、
メモリと、プロセッサとを備え、
前記プロセッサは、
前記情報端末から、前記ディスプレイに表示される第１画像を示す画像情報を受信し、
前記画像情報に基づいて前記第１表示装置と前記第２表示装置とを制御して、前記第１タッチスクリーンと前記第２タッチスクリーンとに、前記第１画像を表示させ、
前記第１タッチスクリーンのうち前記第１画像が表示された範囲に指または物体を接触させるタッチ操作がおこなわれた場合に、前記第１表示装置から、前記第１画像上の接触位置を示す第１座標情報を受信し、
前記第１座標情報を受信した場合に、前記第２タッチスクリーンに表示された前記第１画像上の前記第１座標情報に対応する位置に、第２画像を重畳して表示し、
受信した前記第１座標情報を前記情報端末に送信する、
表示制御装置。
【請求項２】
前記第２画像は、前記第１タッチスクリーンに対して前記タッチ操作がおこなわれたことを表す画像である、
請求項１に記載の表示制御装置。
【請求項３】
前記プロセッサは、
さらに、前記第２タッチスクリーンのうち前記第１画像が表示された範囲で前記タッチ操作がおこなわれた場合に、前記第２表示装置から、前記第１画像上の接触位置を示す第２座標情報を受信し、
前記第２座標情報を受信した場合に、前記第１タッチスクリーンに表示された前記第１画像上の前記第２座標情報に対応する位置に、前記第２画像を重畳して表示し、
受信した前記第２座標情報を前記情報端末に送信する、
請求項１または２に記載の表示制御装置。
【請求項４】
前記情報端末と無線通信によって接続され、
前記第１表示装置および前記第２表示装置と有線通信によって接続される、
請求項１から３のいずれか１項に記載の表示制御装置。
【請求項５】
前記プロセッサは、
さらに、前記第１タッチスクリーンのうち前記第１画像が表示された範囲内の複数の箇所で前記タッチ操作がおこなわれた場合に、前記第２タッチスクリーンに対する前記タッチ操作を受け付けず、
前記第１タッチスクリーンのうち前記第１画像が表示された範囲内の複数の箇所で前記タッチ操作がおこなわれた場合に、前記第１タッチスクリーンが操作中であることを通知するメッセージを、前記第２タッチスクリーンに表示する、
請求項１から４のいずれか１項に記載の表示制御装置。
【請求項６】
ディスプレイを有する情報端末から、前記ディスプレイに表示される第１画像を示す画像情報を受信し、
前記画像情報に基づいて、第１タッチスクリーンを有する第１表示装置と第２タッチスクリーンを有する第２表示装置とを制御して、前記第１画像を、前記第１タッチスクリーンと前記第２タッチスクリーンとに表示させ、
前記第１タッチスクリーンのうち前記第１画像が表示された範囲に指または物体を接触させるタッチ操作がおこなわれた場合に、前記第１表示装置から、前記第１画像上の接触位置を示す第１座標情報を受信し、
前記第１座標情報を受信した場合に、前記第２タッチスクリーンに表示された前記第１画像上の前記第１座標情報に対応する位置に、第２画像を重畳して表示し、
受信した前記第１座標情報を前記情報端末に送信する、
ことを含む表示制御方法。
【請求項７】
第１表示装置と、第２表示装置と、表示制御装置とを備える表示制御システムであって、
前記第１表示装置は、第１タッチスクリーンを備え、
前記第２表示装置は、第２タッチスクリーンを備え、
前記表示制御装置は、メモリと、プロセッサとを備え、
前記プロセッサは、
ディスプレイを有する情報端末から、前記ディスプレイに表示される第１画像を示す画像情報を受信し、
前記画像情報に基づいて前記第１表示装置と前記第２表示装置とを制御して、前記第１タッチスクリーンと前記第２タッチスクリーンとに、前記第１画像を表示させ、
前記第１タッチスクリーンのうち前記第１画像が表示された範囲に指または物体を接触させるタッチ操作がおこなわれた場合に、前記第１表示装置から、前記第１画像上の接触位置を示す第１座標情報を受信し、
前記第１座標情報を受信した場合に、前記第２タッチスクリーンに表示された前記第１画像上の前記第１座標情報に対応する位置に、第２画像を重畳して表示し、
受信した前記第１座標情報を前記情報端末に送信する、
表示制御システム。
【発明の詳細な説明】
【技術分野】
【０００１】
本開示は、表示制御装置、表示制御方法、および表示制御システムに関する。
【背景技術】
【０００２】
ソース機器のディスプレイに表示された画像をシンク機器のディプレイに表示するミラーリング技術を利用して、シンク機器のタッチスクリーン上で実行された操作を、ソース機器側に送信する技術が従来から知られている。このような技術によって、ユーザはシンク機器のタッチスクリーンを操作することで、ソース機器のディスプレイに対して操作をした場合と同様の操作を実行することができる。
【先行技術文献】
【特許文献】
【０００３】
【特許文献１】特開２０１５−１５２９９２号公報
【特許文献２】特開２００７−１４７９２８号公報
【発明の概要】
【発明が解決しようとする課題】
【０００４】
しかしながら、従来技術においては、１台の情報端末から複数の表示装置に対して画像が配信された場合に、当該画像に対して複数の表示装置のタッチスクリーンでそれぞれ操作が行われると、ユーザの意図しない動作が実行される場合があった。
【０００５】
本開示は、１台の情報端末から画像の配信を受ける複数の表示装置のタッチスクリーンに対してそれぞれ操作が行われる場合に、ユーザの意図しない動作が実行されることを抑制することができる表示制御装置、表示制御方法、および表示制御システムを提供する。
【課題を解決するための手段】
【０００６】
本開示に係る表示制御装置は、ディスプレイを有する情報端末、第１タッチスクリーンを有する第１表示装置、および第２タッチスクリーンを有する第２表示装置とネットワークを介して接続する表示制御装置であって、メモリと、プロセッサとを備える。プロセッサは、情報端末から、ディスプレイに表示される第１画像を示す画像情報を受信し、画像情報に基づいて第１表示装置と第２表示装置とを制御して、第１タッチスクリーンと第２タッチスクリーンとに、第１画像を表示させ、第１タッチスクリーンのうち第１画像が表示された範囲に指または物体を接触させるタッチ操作がおこなわれた場合に、第１表示装置から、第１画像上の接触位置を示す第１座標情報を受信し、第１座標情報を受信した場合に、第２タッチスクリーンに表示された第１画像上の第１座標情報に対応する位置に、第２画像を重畳して表示し、受信した第１座標情報を情報端末に送信する。
【発明の効果】
【０００７】
本開示に係る表示制御装置によれば、１台の情報端末から画像の配信を受ける複数の表示装置のタッチスクリーンに対してそれぞれ操作が行われる場合に、ユーザの意図しない動作が実行されることを抑制できる。
【図面の簡単な説明】
【０００８】
【図１】図１は、第１の実施形態に係る表示制御システムが搭載された車両の一例を示す図である。
【図２】図２は、第１の実施形態に係る表示制御装置のハードウェア構成の一例を示す図である。
【図３】図３は、第１の実施形態に係る表示制御装置が備える機能的構成の一例を示すブロック図である。
【図４】図４は、第１の実施形態に係る画面表示の一例を示す図である。
【図５】図５は、第１の実施形態に係る表示制御システムにおける表示制御処理の流れの一例を示すシーケンス図である。
【図６】図６は、第１の実施形態に係る第１タッチスクリーンと第２タッチスクリーンの画面表示の時系列の変化の一例を示す図である。
【図７】図７は、第２の実施形態に係る表示制御装置が備える機能の一例を示すブロック図である。
【図８】図８は、第２の実施形態に係る画面表示の一例を示す図である。
【図９】図９は、第２の実施形態に係る表示制御システムにおける表示制御処理の流れの一例を示すシーケンス図である。
【図１０】図１０は、変形例２に係る表示制御装置のハードウェア構成の一例を示す図である。
【発明を実施するための形態】
【０００９】
以下、図面を参照しながら、本開示に係る表示制御装置、表示制御方法、および表示制御システムの実施形態について説明する。
【００１０】
（第１の実施形態）
図１は、本実施形態に係る表示制御システムＳが搭載された車両４の一例を示す図である。図１に示すように、本実施形態の表示制御システムＳは、表示制御装置１と、第１表示装置２ａと、第２表示装置２ｂとを備える。
【００１１】
本実施形態の第１表示装置２ａと第２表示装置２ｂとは、車両４の助手席４１ａのシートバックと運転席４１ｂのシートバックとにそれぞれ設けられたリアシートモニタである。第１表示装置２ａと第２表示装置２ｂとは、指またはタッチペン（スタイラスペン）で操作可能なタッチスクリーンをそれぞれ備えるものとする。タッチスクリーンは、ディスプレイとタッチパネルとを備える。本実施形態においては、第１表示装置２ａが備えるタッチスクリーンを第１タッチスクリーン２１ａ、第２表示装置２ｂが備えるタッチスクリーンを第２タッチスクリーン２１ｂという。以下、第１表示装置２ａと第２表示装置２ｂとを特に区別しない場合は、表示装置２という。また、第１タッチスクリーン２１ａと第２タッチスクリーン２１ｂとを特に区別しない場合は、タッチスクリーン２１という。
【００１２】
表示制御装置１は、第１表示装置２ａと第２表示装置２ｂとを制御して、第１表示装置２ａと第２表示装置２ｂとに動画等を表示させるコンピュータである。表示制御装置１と、第１表示装置２ａおよび第２表示装置２ｂとは、ケーブル５０ａ，５０ｂを介した有線ネットワークによって接続している。表示制御装置１と、第１表示装置２ａおよび第２表示装置２ｂと、の情報通信には、例えば、ＩＥＥＥＢＵＳまたはＧＶＩＦ（Gigabit  Video  Interface）等の方式が用いられるものとする。また、表示制御装置１は、Ｗｉ−Ｆｉ（登録商標）等の無線ネットワーク５１を介して情報端末３と接続する。
【００１３】
第１表示装置２ａと第２表示装置２ｂとは、本実施形態の情報端末３から受信した画像データを表示する。本実施形態においては、表示制御装置１は、Ｍｉｒａｃａｓｔ（登録商標）等のミラーリングの技術により、情報端末３のディスプレイに表示される画像（以下、ディスプレイ画像という）を、第１表示装置２ａおよび第２表示装置２ｂのタッチスクリーン２１に表示する。ディスプレイ画像は、静止画に限らず、動画でも良い。
【００１４】
また、表示制御装置１は、第１表示装置２ａおよび第２表示装置２ｂのタッチスクリーン２１上で、ミラーリングによって表示されたディスプレイ画像に対して指または物体を接触させる操作が行われた場合に、ディスプレイ画像上の指または物体が接触した位置を示す座標情報を情報端末３にフィードバックする。当該フィードバックは、例えば、ＵＩＢＣ（User  Input  Back  Channel）の技術によって行われる。情報端末３は、表示制御装置１から座標情報のフィードバックを受けた場合に、情報端末３のディスプレイ上の当該座標情報に対応する位置に指または物体が接触した場合と同様の動作を実行する。これにより、ユーザは、第１表示装置２ａまたは第２表示装置２ｂのタッチスクリーン２１を操作することで、情報端末３を操作することができる。
【００１５】
ここで、タッチスクリーンに指または物体を接触させる操作をタッチ操作と呼ぶ。また、タッチスクリーン上で指または物体が接触した位置、すなわちタッチ操作をおこなった位置を、タッチ位置と呼ぶ。
【００１６】
情報端末３は、例えばスマートフォンであるが、Ｍｉｒａｃａｓｔ（登録商標）等のミラーリングの規格に対応した機器であれば良く、タブレット端末またはラップトップＰＣであっても良い。
【００１７】
本実施形態の表示制御システムＳは、リアシートに着座している乗員に情報端末３から配信された動画等のエンターテイメントを提供するため、ＲＳＥ（Rear  Sheet  Entertainment：リアシートエンターテイメント）システムともいう。また、情報端末３は、画像の配信元であるため、ソース機器ともいう。また、第１表示装置２ａおよび第２表示装置２ｂは、ソース機器から配信された画像を表示するため、シンク機器ともいう。
【００１８】
図２は、本実施形態に係る表示制御装置１のハードウェア構成の一例を示す図である。図２に示すように、表示制御装置１は、プロセッサ１０と、メモリ１１と、デバイスインタフェース（Ｉ／Ｆ：Inter/Face）１２ａ，１２ｂと、ネットワークインタフェース（Ｉ／Ｆ）１４と、通信アンテナ１３とを備える。
【００１９】
通信アンテナ１３は、無線ネットワーク５１を介して情報端末３との間で情報の送受信を行う。
【００２０】
ネットワークインタフェース１４は、情報端末３との間のネットワーク通信を行うモジュールである。例えば、ネットワークインタフェース１４は、通信アンテナ１３が受信した情報をプロセッサ１０に送信する。本実施形態においては、ネットワークインタフェース１４は、通信アンテナ１３を介して、情報端末３から、情報端末３のディスプレイ３１に表示されたディスプレイ画像を示す画像情報を受信する。
【００２１】
また、ネットワークインタフェース１４は、プロセッサ１０から出力された情報を通信アンテナ１３に送信する。本実施形態においては、ネットワークインタフェース１４は、プロセッサ１０から、第１タッチスクリーン２１ａまたは第２タッチスクリーン２１ｂにおけるタッチ位置を示すタッチ座標を、タッチ操作されたタッチスクリーンを識別する情報と対応付けて、通信アンテナ１３を介して情報端末３に送信する。タッチ座標の詳細については後述する。
【００２２】
プロセッサ１０は、表示制御装置１全体を制御する。例えば、プロセッサ１０は、メモリ１１に記憶された各種のプログラムを読み出して実行することにより、各種の機能を実現する。本実施形態においては、プロセッサ１０は、第１表示装置２ａおよび第２表示装置２ｂを制御して、情報端末３から送信されたディスプレイ画像を、第１タッチスクリーン２１ａおよび第２タッチスクリーン２１ｂに表示する。また、プロセッサ１０は、シャドー画像を生成して、第１タッチスクリーン２１ａまたは第２タッチスクリーン２１ｂに表示する。ここで、シャドー画像とは、他のタッチスクリーンにおいてディスプレイ画像が表示された範囲に指または物体が接触した位置（タッチ位置）を表す画像であり、詳細については後述する。
【００２３】
メモリ１１は、プロセッサ１０で実行されるプログラム、および処理の実行に必要な各種のデータを記憶する記憶装置である。メモリ１１は、例えばＲＯＭ、ＲＡＭ、フラッシュメモリ、ＨＤＤ等である。
【００２４】
デバイスインタフェース１２ａ，１２ｂは、第１表示装置２ａまたは第２表示装置２ｂと情報の送受信を行う。具体的には、デバイスインタフェース１２ａは、第１表示装置２ａに対して、プロセッサ１０から出力されたディスプレイ画像を示す画像情報、シャドー画像を示す画像情報、シャドー画像の表示位置等を送信する。また、デバイスインタフェース１２ａは、第１表示装置２ａから、第１表示装置２ａの第１タッチスクリーン２１ａにおけるタッチ座標を取得し、プロセッサ１０に送信する。また、デバイスインタフェース１２ｂは、第２表示装置２ｂに対して、プロセッサ１０から出力されたディスプレイ画像を示す画像情報、シャドー画像を示す画像情報、シャドー画像の表示位置等を送信する。また、デバイスインタフェース１２ｂは、第２表示装置２ｂから、第２表示装置２ｂの第２タッチスクリーン２１ｂにおけるタッチ座標を取得し、プロセッサ１０に送信する。以下、デバイスインタフェース１２ａ，１２ｂを区別しない場合は、単にデバイスインタフェース１２という。デバイスインタフェース１２は、例えば、ＩＥＥＥＢＵＳの規格で情報の送受信を行うＩＣ（Integrated  Circuit）であるが、これに限定されるものではない。また、デバイスインタフェース１２を介さずに、プロセッサ１０と第１表示装置２ａまたは第２表示装置２ｂとが情報の送受信を行うものとしても良い。
【００２５】
次に、本実施形態の表示制御装置１が備える機能の詳細を説明する。
図３は、本実施形態に係る表示制御装置１が備える機能的構成の一例を示すブロック図である。図３に示すように、表示制御装置１は、第１の受信部１０１と、第１の表示制御部１０２と、第２の受信部１０３と、第２の表示制御部１０４と、送信部１０５とを備える。
【００２６】
一例として、第１の受信部１０１と、第１の表示制御部１０２と、第２の受信部１０３と、第２の表示制御部１０４と、送信部１０５とは、コンピュータによって実行可能な形式のプログラムとしてメモリ１１に記憶されて提供される。プロセッサ１０は、メモリ１１から当該プログラムを読み出して実行することにより、上記各部に対応する機能を実現する。
【００２７】
上記プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００２８】
さらに、上記プログラムを、インターネット等のネットワークに接続されたコンピュータ上に格納し、ネットワーク経由でダウンロードさせることにより提供するように構成しても良い。また、上記プログラムをインターネット等のネットワーク経由で提供または配布するように構成しても良い。
【００２９】
第１の受信部１０１は、通信アンテナ１３およびネットワークインタフェース１４を介して、情報端末３から、情報端末３のディスプレイ３１に表示されるディスプレイ画像を示す画像情報を受信する。第１の受信部１０１は、受信した画像情報を第１の表示制御部１０２に送出する。ディスプレイ画像は、本実施形態における第１画像の一例である。
【００３０】
第１の表示制御部１０２は、第１の受信部１０１が取得した画像情報に基づいて第１表示装置２ａと第２表示装置２ｂとを制御して、第１タッチスクリーン２１ａと第２タッチスクリーン２１ｂとにディスプレイ画像を表示させる。
【００３１】
ここで、ディスプレイ画像の表示について、図４を用いて説明する。
図４は、本実施形態に係る画面表示の一例を示す図である。第１の表示制御部１０２は、図４に示すように、情報端末３のディスプレイ３１に表示されたディスプレイ画像３０を、第１表示装置２ａの第１タッチスクリーン２１ａと、第２表示装置２ｂの第２タッチスクリーン２１ｂとに表示する。このため、第１表示装置２ａを使用するユーザ６ａと、第２表示装置２ｂを使用するユーザ６ｂとは、情報端末３のディスプレイ３１に表示されたディスプレイ画像３０と同様の画像を視認することができる。以下、ユーザ６ａとユーザ６ｂとを特に区別しない場合は、ユーザ６という。
【００３２】
図３に戻り、第２の受信部１０３は、第１タッチスクリーン２１ａまたは第２タッチスクリーン２１ｂのうちディスプレイ画像３０が表示された範囲でタッチ操作がおこなわれた場合（指または物体が接触した場合）に、第１表示装置２ａまたは第２表示装置２ｂから、ディスプレイ画像３０上のタッチ位置を示すタッチ座標を受信する。この際、第２の受信部１０３は、デバイスインタフェース１２ａ，１２ｂを介して、第１表示装置２ａまたは第２表示装置２ｂから、タッチ座標を受信する。
【００３３】
タッチ座標は、本実施形態における第１座標情報または第２座標情報の一例である。
【００３４】
例えば、図４に示す例では、第１表示装置２ａを使用するユーザ６ａが、第１タッチスクリーン２１ａに表示されたディスプレイ画像３０上のタッチ位置Ｐにタッチしている。この場合、第２の受信部１０３は、ディスプレイ画像３０上のタッチ位置Ｐを示すタッチ座標を受信する。また、この場合に、第２の受信部１０３は、タッチ操作されているタッチスクリーン２１を特定するタッチスクリーン識別情報を受信する。
【００３５】
図４に示す例では、第１タッチスクリーン２１ａがタッチ操作されているため、第２の受信部１０３は、第１タッチスクリーン２１ａ示すタッチスクリーン識別情報と、タッチ座標とを受信する。
【００３６】
本実施形態においては、タッチ操作されているタッチスクリーン２１を特定するタッチスクリーン識別情報は、表示装置２が表示制御装置１に対して送信するものとする。
【００３７】
なお、本実施形態においては、ミラーリング中に、ディスプレイ画像３０が表示されていないタッチスクリーン２１の範囲がタッチ操作された場合は、表示装置２は、当該タッチ操作のタッチ位置を示す座標を表示制御装置１に送信しないものとする。例えば、情報端末３のディスプレイ３１の画像サイズと、表示装置２のタッチスクリーン２１の画面サイズとの差異のために、タッチスクリーン２１上にディスプレイ画像３０が表示されていない範囲が生じる場合がある。このような範囲へのタッチ操作は、ディスプレイ画像３０に対する操作および情報端末３への操作ではないため、表示装置２は、当該タッチ操作のタッチ位置を示す座標を表示制御装置１に送信しない。
【００３８】
第２の受信部１０３は、受信したタッチ座標と、操作されているタッチスクリーン２１を特定するタッチスクリーン識別情報とを対応付けて、第２の表示制御部１０４と送信部１０５とに送出する。
【００３９】
図３に戻り、第２の表示制御部１０４は、第２の受信部１０３がタッチ座標を受信した場合に、当該タッチ座標の送信元の表示装置２以外の表示装置２に設けられたタッチスクリーン２１に対して、ディスプレイ画像３０上のタッチ座標に対応する位置に、シャドー画像を重畳して表示する。
【００４０】
例えば、図４に示すように、第１タッチスクリーン２１ａ上のタッチ位置Ｐがタッチ操作されている場合は、第２の表示制御部１０４は、第２タッチスクリーン２１ｂに表示されたディスプレイ画像３０上のタッチ位置Ｐに対応する位置に、手の形状をした黒色のシャドー画像２３を重畳して表示する。
【００４１】
また、図４に示す例とは逆に、第２タッチスクリーン２１ｂがタッチ操作されている場合は、第２の表示制御部１０４は、第１タッチスクリーン２１ａに表示されたディスプレイ画像３０上のタッチ位置Ｐに対応する位置に、シャドー画像２３を重畳して表示する。なお、図４では、第１タッチスクリーン２１ａのみがタッチ操作をされているが、第１タッチスクリーン２１ａと第２タッチスクリーン２１ｂとが同時にタッチ操作されても良い。
【００４２】
シャドー画像２３は、他のタッチスクリーン２１においてディスプレイ画像３０が表示された範囲にタッチ位置を表す画像であり、本実施形態における第２画像の一例である。シャドー画像２３は、例えば、手、指、タッチペン、矢印等の形状のアイコン画像であるが、これらに限定されるものではない。
【００４３】
図３に戻り、送信部１０５は、第２の受信部１０３がタッチ座標を受信した場合に、受信されたタッチ座標を、ネットワークインタフェース１４および通信アンテナ１３を介して情報端末３に送信する。本実施形態の情報端末３では、タッチ操作が第１タッチスクリーン２１ａと第２タッチスクリーン２１ｂとのいずれに対して実行されたものであるかは区別しない。このため、送信部１０５は、情報端末３に対して、タッチ操作されているタッチスクリーン２１を特定するタッチスクリーン識別情報は送信しないものとする。
【００４４】
次に、以上のように構成された本実施形態の表示制御システムＳが実行する表示制御処理の流れについて説明する。
【００４５】
図５は、本実施形態に係る表示制御システムＳにおける表示制御処理の流れの一例を示すシーケンス図である。
【００４６】
情報端末３は、例えば、ユーザによる第１表示装置２ａおよび第２表示装置２ｂへのミラーリング開始の操作を受け付けた場合に、ミラーリングを開始する（Ｓ１）。情報端末３を操作するユーザは、第１表示装置２ａまたは第２表示装置２ｂを使用するユーザ６と同一のユーザでも良いし、異なるユーザであっても良い。
【００４７】
情報端末３は、ミラーリングを開始すると、情報端末３のディスプレイ３１に表示されているディスプレイ画像３０を示す画像情報を、表示制御装置１に送信する（Ｓ２）。表示制御装置１の第１の受信部１０１は、情報端末３から送信された画像情報を受信する。
【００４８】
次に、表示制御装置１の第１の表示制御部１０２は、第１の受信部１０１が取得した画像情報に基づいて第１表示装置２ａと第２表示装置２ｂとを制御して、第１タッチスクリーン２１ａと第２タッチスクリーン２１ｂとにディスプレイ画像３０を表示させる（Ｓ３）。
【００４９】
そして、第１表示装置２ａの第１タッチスクリーン２１ａにおいて、ディスプレイ画像３０が表示された範囲がタッチ操作された場合（Ｓ４）、第１表示装置２ａは、表示制御装置１に対して、ディスプレイ画像３０におけるタッチ位置Ｐを示すタッチ座標と、第１タッチスクリーン２１ａを示すタッチスクリーン識別情報とを送信する（Ｓ５）。表示制御装置１の第２の受信部１０３は、第１表示装置２ａから送信されたタッチ座標と、タッチスクリーン識別情報とを受信する。また、第２の受信部１０３は、受信したタッチ座標と、タッチスクリーン識別情報とを対応付けて、第２の表示制御部１０４と送信部１０５とに送出する。
【００５０】
次に、表示制御装置１の第２の表示制御部１０４は、シャドー画像２３を生成する（Ｓ６）。そして、第２の表示制御部１０４は、タッチ座標およびタッチスクリーン識別情報に基づいて、タッチ操作されたタッチスクリーン２１以外のタッチスクリーン２１に対して、ディスプレイ画像３０上のタッチ位置Ｐに対応する位置に、シャドー画像２３を重畳して表示する。このシーケンス図においては、タッチ操作されたのは第１タッチスクリーン２１ａであるため、第２の表示制御部１０４は、第２表示装置２ｂを制御して、第２タッチスクリーン２１ｂに表示されたディスプレイ画像３０上のタッチ位置Ｐに対応する位置に、シャドー画像２３を重畳して表示する（Ｓ７）。
【００５１】
また、表示制御装置１の送信部１０５は、第１の受信部１０１が受信したタッチ座標を、情報端末３に送信する（Ｓ８）。換言すれば、送信部１０５は、情報端末３からミラーリングによって配信されたディスプレイ画像３０に対してユーザ６が実行したタッチ操作を、情報端末３にフィードバックする。
【００５２】
そして、情報端末３は、表示制御装置１から送信されたタッチ座標に基づいて、各種の処理を実行する。一例として、情報端末３は、表示制御装置１から送信されたタッチ座標に基づいて、ディスプレイ３１の画面表示を変更する（Ｓ９）。
【００５３】
次に、情報端末３は、変更後のディスプレイ画像３０を示す画像情報を、表示制御装置１に対して送信する（Ｓ１０）。
【００５４】
図５では、第１タッチスクリーン２１ａがタッチ操作された場合を例として処理の流れを説明したが、第２タッチスクリーン２１ｂがタッチ操作された場合も同様に、表示制御装置１が第１タッチスクリーン２１ａに対してシャドー画像２３を表示する。また、第１タッチスクリーン２１ａと第２タッチスクリーン２１ｂとが同時に操作された場合には、第１タッチスクリーン２１ａにおけるタッチ位置Ｐを示すシャドー画像２３が第２タッチスクリーン２１ｂに表示され、第２タッチスクリーン２１ｂにおけるタッチ位置Ｐを示すシャドー画像２３が第１タッチスクリーン２１ａに表示される。
【００５５】
従来技術においては、１台の情報端末から複数の表示装置に対して画像が配信された場合に、当該画像に対して複数の表示装置のタッチスクリーンでそれぞれタッチ操作が行われると、ユーザの意図しない動作が実行される場合があった。
【００５６】
例えば、ユーザがタッチスクリーンにタッチ操作を行う場合に、他の表示装置のタッチスクリーンに対して、別のユーザがタッチ操作を行っている場合がある。このような場合に、情報端末３は両方のユーザのタッチ操作を受け付けるため、各ユーザの意図した動作とは異なる動作が、情報端末３において実行される場合があった。
【００５７】
具体的には、あるユーザが第１タッチスクリーン上の１点をタッチし、他のユーザが第２タッチスクリーン上の１点をタッチしたとする。この場合に、各ユーザは１点をタッチする操作を行っていると認識しているが、情報端末３は第１タッチスクリーンと第２タッチスクリーンとを区別しないため、２点タッチの操作として受け付ける。このため、例えば、いずれかのユーザがスワイプ操作をすることを意図して、タッチスクリーンをタッチしたまま指を動かした場合に、情報端末３がピンチイン（縮小）またはピンチアウト（拡大）操作の入力として受け付けることとなる。この場合、各ユーザの意図しない動作が実行されることとなるため、各ユーザは、タッチスクリーンまたは情報端末３の誤作動と誤認する可能性があった。
【００５８】
また、他のユーザが他のタッチスクリーン上でどのような操作をしているかが不明であるため、他のユーザが他のタッチスクリーンに対して行った操作によってディスプレイ画像が変化することにより、ユーザが違和感を覚える場合があった。
【００５９】
これに対して、本実施形態の表示制御装置１では、第１タッチスクリーン２１ａのうちディスプレイ画像３０が表示された範囲でタッチ操作がおこなわれた場合に、第１表示装置２ａからディスプレイ画像３０上の接触位置を示すタッチ座標を受信し、第２タッチスクリーン２１ｂに表示されたディスプレイ画像３０上のタッチ座標に対応する位置に、シャドー画像２３を重畳して表示する。このため、本実施形態の表示制御装置１によれば、第２タッチスクリーン２１ｂを使用するユーザ６ｂに対して、第１タッチスクリーン２１ａ上のタッチ位置Ｐ１を認識させることができるため、ユーザ６ｂは他のユーザ６ａの操作を認識した上で第２タッチスクリーン２１ｂを操作することができる。このため、本実施形態の表示制御装置１によれば、１台の情報端末３から複数の表示装置２に対してディスプレイ画像３０が配信された場合であっても、ユーザ６ｂの意図しない動作が実行されることを抑制することができる。
【００６０】
例えば、本実施形態の表示制御装置１においては、第２タッチスクリーン２１ｂを使用するユーザ６ｂは、第１タッチスクリーン２１ａがタッチ操作されている場合にタッチ操作を待機したり、第１タッチスクリーン２１ａを使用する他のユーザ６ａのタッチ位置Ｐを認識した上で他のユーザ６ａと共同でタッチ操作したりすることができる。その結果、ユーザ６ｂの意図しない動作の実行が抑制される。
【００６１】
また、本実施形態のシャドー画像２３は、他のタッチスクリーン２１においてディスプレイ画像３０が表示された範囲にタッチ位置を表す画像であるため、ユーザ６は、他のタッチスクリーン２１が操作されていることと、他のタッチスクリーン２１における操作のタッチ位置Ｐ１とを、容易に把握することができる。
【００６２】
また、本実施形態の表示制御装置１は、第２タッチスクリーン２１ｂのうちディスプレイ画像３０が表示された範囲でタッチ操作がおこなわれた場合に、第２表示装置２ｂからディスプレイ画像３０上の接触位置を示すタッチ座標を受信し、第１タッチスクリーン２１ａに表示されたディスプレイ画像３０上のタッチ座標に対応する位置に、シャドー画像２３を重畳して表示する。このため、本実施形態の表示制御装置１によれば、第１タッチスクリーン２１ａを使用するユーザ６ａと、第２タッチスクリーン２１ｂを使用するユーザ６ｂとが相互に相手のタッチ位置Ｐを認識することができる。このため、本実施形態の表示制御装置１によれば、いずれかのタッチスクリーン２１がタッチ操作されている場合に、他のタッチスクリーン２１の操作を受け付けないように排他制御しなくとも、ユーザ６の意図しない動作が実行されることを抑制することができる。このため、本実施形態の表示制御装置１によれば、排他制御の切り替えの際の待ち時間によってユーザ６が違和感を覚えることを抑制することができる。
【００６３】
ここで、異なるタッチスクリーン２１を使用するユーザ６同士が共同でタッチ操作をする例について、図面を用いて説明する。
【００６４】
図６は、本実施形態に係る第１タッチスクリーン２１ａと第２タッチスクリーン２１ｂの画面表示の時系列の変化の一例を示す図である。図６に示すように、第１タッチスクリーン２１ａおよび第２タッチスクリーン２１ｂには、ディスプレイ画像３０が表示されているものとする。まず、図６の上段の図に示すように、ユーザ６ａが第１タッチスクリーン２１ａを指等でタッチ操作したとする。当該タッチ操作された位置をタッチ位置Ｐ１とする。この場合、表示制御装置１は、図６の上段の図に示すように、第２タッチスクリーン２１ｂ上のタッチ位置Ｐ１に対応する位置に、シャドー画像２３ｂを表示する。シャドー画像２３ｂにより、ユーザ６ｂは、ユーザ６ａがディスプレイ画像３０上のどの位置をタッチ操作したかを認識することができる。
【００６５】
次に、ユーザ６ｂは、図６の上段の図に示すように、第２タッチスクリーン２１ｂを指等でタッチしたとする。当該タッチされた位置をタッチ位置Ｐ２とする。この場合、表示制御装置１は、図６の中段の図に示すように、第１タッチスクリーン２１ａ上のタッチ位置Ｐ２に対応する位置に、シャドー画像２３ａを表示する。シャドー画像２３ａにより、ユーザ６ａも、ユーザ６ｂがディスプレイ画像３０上のどの位置をタッチ操作したかを認識することができる。
【００６６】
ここで、例えば、図６の中段の図に示すように、ユーザ６ｂが第２タッチスクリーン２１ｂをタッチしたまま、シャドー画像２３ｂから離れる方向に指を移動してスワイプ操作をしたとする。図６の下段の図に示すように、移動後の位置を、タッチ位置Ｐ２´とする。このような操作は、情報端末３にとっては、ユーザ６がディスプレイ３１上の２点をタッチしてピンチアウトをした場合と同様の操作となる。このため、図６の下段の図に示すように、第１タッチスクリーン２１ａと第２タッチスクリーン２１ｂには、拡大されたディスプレイ画像３０が表示される。
【００６７】
ユーザ６ｂは、シャドー画像２３ａにより、第１タッチスクリーン２１ａ上のタッチ位置Ｐ２を認識することができるため、自身のスワイプ操作がピンチアウトの操作になるか、ピンチインの操作になるかを把握した上で操作を行うことができる。このため、ユーザ６ｂは、意図したとおりの動作を情報端末３に実行させることができる。また、ユーザ６ｂがタッチ位置Ｐ２をタッチ位置Ｐ２´に変更した場合、表示制御装置１は、第１タッチスクリーン２１ａ上のタッチ位置Ｐ２´に対応した位置にシャドー画像２３ａを表示するため、ユーザ６ａは、ユーザ６ｂが第２タッチスクリーン２１ｂ上でスワイプ操作をしたことを認識することができる。このため、本実施形態の表示制御装置１によれば、ユーザ６ｂのピンチアウトの操作によって第１タッチスクリーン２１ａに表示されたディスプレイ画像３０が拡大されても、ユーザ６ａが第１タッチスクリーン２１ａまたは情報端末３の誤動作と誤解することを抑制できる。
【００６８】
図６に示す例は、異なるタッチスクリーン２１を使用するユーザ６同士が共同で行う操作の一例に過ぎず、本実施形態の表示制御システムＳの活用例はこれに限定されるものではない。例えば、ユーザ６同士がゲームの対戦等を行う際に、異なるタッチスクリーン２１から同一のゲーム画面を操作するために、本実施形態の表示制御システムＳが適用されても良い。
【００６９】
また、本実施形態の表示制御装置１によれば、情報端末３と無線通信によって接続するため、車両４の車内における情報端末３の位置が制限されない。
【００７０】
なお、本実施形態においては、表示制御システムＳは、２台の表示装置（第１表示装置２ａおよび第２表示装置２ｂ）を備えるものとしたが、表示装置の数はこれに限定されるものではない。また、第１表示装置２ａと第２表示装置２ｂの設置位置は、図１等に図示した例に限定されるものではない。例えば、本実施形態の表示制御システムＳは、車両４に搭載されなくとも良い。
【００７１】
また、情報端末３は、ディスプレイ画像３０だけではなく音楽データも表示制御装置１に対して送信するものとしても良い。この場合は、表示制御装置１は、第１表示装置２ａおよび第２表示装置２ｂに対して、情報端末３から送信された音楽データを送信する。
【００７２】
また、本実施形態においては、表示制御装置１の第２の受信部１０３は、タッチ操作されているタッチスクリーン２１を特定するタッチスクリーン識別情報を受信するとしたが、第２の受信部１０３が、タッチ操作されているタッチスクリーン２１を判断しても良い。例えば、本実施形態においては、表示制御装置１は、第１表示装置２ａと第２表示装置２ｂとでは異なるデバイスインタフェース１２を介して情報を受信している。このため、第２の受信部１０３は、タッチ座標を受信したデバイスインタフェース１２に応じていずれのタッチスクリーン２１がタッチ操作されたかを判断しても良い。例えば、第２の受信部１０３は、デバイスインタフェース１２ａを介して受信したタッチ座標は、第１タッチスクリーン２１ａ上のタッチ位置Ｐ１を示すタッチ座標であると判断し、デバイスインタフェース１２ｂを介して受信したタッチ座標は、第２タッチスクリーン２１ｂ上のタッチ位置Ｐ１を示すタッチ座標であると判断しても良い。
【００７３】
（第２の実施形態）
上述の第１の実施形態では、表示制御装置１は、いずれかのタッチスクリーン２１が操作されている場合であっても、他のタッチスクリーン２１からの操作を排他せずに受け付けるものとしたが、この第３の実施形態では、表示制御装置１は、いずれかのタッチスクリーン２１において複数個所がタッチ操作されている場合に、他のタッチスクリーン２１に対して排他制御を実施する。
【００７４】
本実施形態の表示制御システムＳの全体構成は、図１で説明した第１の実施形態の構成と同様である。また、表示制御装置１、第１表示装置２ａ、および第２表示装置２ｂのハードウェア構成は、図２で説明した第１の実施形態の構成と同様である。
【００７５】
図７は、本実施形態に係る表示制御装置１が備える機能の一例を示すブロック図である。図７に示すように、本実施形態の表示制御装置１は、第１の受信部１０１と、第１の表示制御部１０２と、第２の受信部１０３と、第２の表示制御部１１０４と、送信部１１０５と、排他制御部１０６とを備える。
【００７６】
一例として、第１の受信部１０１と、第１の表示制御部１０２と、第２の受信部１０３と、第２の表示制御部１１０４と、送信部１１０５と、排他制御部１０６とは、コンピュータによって実行可能な形式のプログラムとしてメモリ１１に記憶される。プロセッサ１０は、メモリ１１から当該プログラムを読み出して実行することにより、上記各部に対応する機能を実現する。
【００７７】
第１の受信部１０１と、第１の表示制御部１０２と、第２の受信部１０３とは、第１の実施形態と同様の機能を備える。
【００７８】
排他制御部１０６は、いずれかのタッチスクリーン２１においてディスプレイ画像３０が表示された範囲内の複数の箇所でタッチ操作がおこなわれた場合（すなわち、複数の箇所に指または物体が接触した場合）、他のタッチスクリーン２１に対する操作を受け付けない。
【００７９】
より詳細には、排他制御部１０６は、各タッチスクリーン２１のディスプレイ画像３０が表示された範囲内においてタッチ操作がおこなわれた箇所をカウントし、１つのタッチスクリーン２１の複数の箇所でタッチ操作がおこなわれたか否かを判断する。排他制御部１０６は、いずれかのタッチスクリーン２１において複数の箇所でタッチ操作がおこなわれたと判断した場合に、送信部１１０５に対して、当該タッチスクリーン２１以外のタッチスクリーン２１に対するタッチ位置Ｐを示すタッチ座標を情報端末３に送信することを停止するように指示を送出する。本実施形態においては、当該指示を、排他制御の指示という。
【００８０】
また、排他制御部１０６は、いずれかのタッチスクリーン２１において複数の箇所でタッチ操作がおこなわれたと判断した場合に、送信部１１０５に対して、当該タッチスクリーン２１以外のタッチスクリーン２１に、当該タッチスクリーン２１が操作中であることを通知するメッセージを表示するように指示を送出する。メッセージの詳細については後述する。
【００８１】
このようにして、排他制御部１０６は、第１タッチスクリーン２１ａのうちディスプレイ画像３０が表示された範囲内の複数の箇所でタッチ操作がおこなわれた場合に、第２タッチスクリーン２１ｂに対する操作を受け付けない。また、排他制御部１０６は、第２タッチスクリーン２１ｂのうちディスプレイ画像３０が表示された範囲内の複数の箇所でタッチ操作がおこなわれた場合に、第１タッチスクリーン２１ａに対する操作を受け付けない。
【００８２】
本実施形態の第２の表示制御部１１０４は、第１の実施形態の機能を備えた上で、いずれかのタッチスクリーン２１においてディスプレイ画像３０が表示された範囲内の複数の箇所でタッチ操作がおこなわれた場合、つまり、排他制御部１０６によって他のタッチスクリーン２１の操作が排他制御される場合に、当該タッチスクリーン２１が操作中であることを通知するメッセージを、他のタッチスクリーン２１に表示する。
【００８３】
具体的には、本実施形態の第２の表示制御部１１０４は、第１タッチスクリーン２１ａのうちディスプレイ画像３０が表示された範囲内の複数の箇所でタッチ操作がおこなわれた場合に、第１タッチスクリーン２１ａが操作中であることを通知するメッセージを、第２タッチスクリーン２１ｂに表示する。また、第２の表示制御部１１０４は、第２タッチスクリーン２１ｂのうちディスプレイ画像３０が表示された範囲内の複数の箇所でタッチ操作がおこなわれた場合に、第２タッチスクリーン２１ｂが操作中であることを通知するメッセージを、第１タッチスクリーン２１ａに表示する。
【００８４】
図８は、本実施形態に係る画面表示の一例を示す図である。図８に示す例では、ユーザ６ａが、第１タッチスクリーン２１ａのタッチ位置Ｐ３とタッチ位置Ｐ４とをタッチ操作している。この場合、第２の表示制御部１１０４は、第２表示装置２ｂを制御して、シャドー画像２３ｃ，２３ｄとメッセージ２４とを、第２タッチスクリーン２１ｂに表示する。シャドー画像２３ｃ，２３ｄは、それぞれ、タッチ位置Ｐ１とタッチ位置Ｐ３とのタッチ座標に対応する位置に表示されるものとする。
【００８５】
メッセージ２４は、第１タッチスクリーン２１ａが操作中であることを通知するメッセージである。図８では、一例として「もう一方のディスプレイで操作中のため、しばらくお待ちください。」と表示しているが、メッセージ２４の文言はこれに限定されるものではない。
【００８６】
図７に戻り、本実施形態の送信部１１０５は、第１の実施形態の機能を備えた上で、いずれかのタッチスクリーン２１においてディスプレイ画像３０が表示された範囲内の複数の箇所でタッチ操作がおこなわれた場合、つまり、排他制御部１０６によって他のタッチスクリーン２１の操作が排他制御される場合に、当該タッチスクリーン２１以外のタッチスクリーン２１に対するタッチ位置Ｐを示すタッチ座標を情報端末３に送信することを停止する。
【００８７】
図８に示した例では、ユーザ６ｂが第２タッチスクリーン２１ｂ上のタッチ位置Ｐ４をタッチ操作しているが、送信部１１０５は、タッチ位置Ｐ４を示すタッチ座標を情報端末３に送信しない。このため、第２タッチスクリーン２１ｂに対するユーザ６ｂの操作は排他制御される。なお、図８に示した例では、表示制御装置１は、シャドー画像２３ｃ，２３ｄとメッセージ２４とを第２タッチスクリーン２１ｂに表示しているが、メッセージ２４のみを第２タッチスクリーン２１ｂに表示するとしてもよい。
【００８８】
次に、以上のように構成された本実施形態の表示制御システムＳにおける表示制御処理の流れについて説明する。
【００８９】
図９は、本実施形態に係る表示制御システムＳにおける表示制御処理の流れの一例を示すシーケンス図である。Ｓ１のミラーリングの開始から、Ｓ６のシャドー画像２３の生成処理までは、図５で説明した第１の実施形態の処理と同様である。なお、Ｓ４のタッチ操作においては、図８に示すタッチ位置Ｐ３がタッチ操作されたものとする。
【００９０】
本実施形態の表示制御装置１の排他制御部１０６は、第１表示装置２ａから送信されたタッチ座標の数をカウントすることにより、第１タッチスクリーン２１ａのタッチ箇所（接触箇所）の数をカウントする（Ｓ１０１）。Ｓ１０１の時点では、第１タッチスクリーン２１ａにおけるタッチ箇所は１箇所のみであるため、排他制御部１０６は、排他制御を実施しない。
【００９１】
また、Ｓ７のシャドー画像２３（例えば、図８に示すシャドー画像２３ｃ）の表示から、Ｓ１１の変更後のディスプレイ画像３０の表示までは、第１の実施形態の処理と同様である。
【００９２】
次に、第１表示装置２ａの第１タッチスクリーン２１ａにおいて、ディスプレイ画像３０が表示された範囲内の２箇所目がタッチ操作された場合（Ｓ１０２）、第１表示装置２ａは、表示制御装置１に対して、ディスプレイ画像３０におけるタッチ位置Ｐ（例えば、図８に示すタッチ位置Ｐ４）を示すタッチ座標と、第１タッチスクリーン２１ａを示すタッチスクリーン識別情報とを送信する（Ｓ１０３）。表示制御装置１の第２の受信部１０３は、第１表示装置２ａから送信されたタッチ座標と、タッチスクリーン識別情報とを受信する。また、第２の受信部１０３は、受信したタッチ座標と、タッチスクリーン識別情報とを対応付けて、排他制御部１０６と、第２の表示制御部１１０４と送信部１１０５とに送出する。
【００９３】
Ｓ１０４のシャドー画像の生成の処理は、Ｓ６の処理と同様である。そして、排他制御部１０６は、第１表示装置２ａから送信されたタッチ座標の数をカウントすることにより、第１タッチスクリーン２１ａのタッチ箇所の数をカウントする（Ｓ１０５）。ここで、第１表示装置２ａから、第１タッチスクリーン２１ａにおける２箇所のタッチ位置Ｐ３，Ｐ４を示すタッチ座標が送信されため、排他制御部１０６は、第１タッチスクリーン２１ａにおいて複数の箇所でタッチ操作がおこなわれたと判断する。この場合、排他制御部１０６は、第２タッチスクリーン２１ｂに対する排他制御を開始する（Ｓ１０６）。
【００９４】
また、この場合に、第１タッチスクリーン２１ａに対する操作は制限されないため、第１タッチスクリーン２１ａに対するタッチ座標を情報端末３に送信するＳ１０７の処理は、Ｓ８と同様に実行される。
【００９５】
次に、第２の表示制御部１１０４は、第２表示装置２ｂを制御して、シャドー画像２３ｄとメッセージ２４とを、第２タッチスクリーン２１ｂに表示する（Ｓ１０８）。
【００９６】
ここで、ユーザ６ｂが、第２タッチスクリーン２１ｂのうちディスプレイ画像３０が表示された範囲内のタッチ位置Ｐ４をタッチ操作したとする（Ｓ１０９）。この場合、第２表示装置２ｂは、表示制御装置１に対して、タッチ位置Ｐ４を示すタッチ座標と、第２タッチスクリーン２１ｂを示すタッチスクリーン識別情報とを送信する（Ｓ１１０）。しかしながら、排他制御部１０６によって排他制御が実施されているため、当該タッチ座標は、情報端末３に対して送信されない。また、排他制御部１０６による排他制御は、例えば、第１タッチスクリーン２１ａのタッチ箇所が１箇所以下になった場合に、終了するものとする。
【００９７】
図９では、第１タッチスクリーン２１ａが複数個所タッチ操作された場合を例として説明したが、第２タッチスクリーン２１ｂが複数個所タッチ操作された場合には、第１タッチスクリーン２１ａが排他制御されるものとする。また、図９では、第１タッチスクリーン２１ａが複数個所タッチ操作された場合を例として説明したが、第１タッチスクリーン２１ａが１点でのみタッチされた場合に、第２タッチスクリーン２１ｂが排他制御されるとしてもよい。
【００９８】
このように、本実施形態の表示制御装置１では、第１タッチスクリーン２１ａのうちディスプレイ画像３０が表示された範囲内の複数の箇所でタッチ操作がおこなわれた場合に、第２タッチスクリーン２１ｂに対する操作を排他制御すると共に、第１タッチスクリーン２１ａが操作中であることを通知するメッセージ２４を、第２タッチスクリーン２１ｂに表示する。このため、本実施形態の表示制御装置１によれば、いずれかのタッチスクリーン２１において、ユーザ６がピンチインまたはピンチアウト等の複数個所をタッチする操作を実施する場合に、他のユーザが他のタッチスクリーン２１に対して実施する操作の影響によってユーザ６の意図しない動作が実行されることを抑制する。また、本実施形態の表示制御装置１によれば、メッセージ２４を表示することにより、排他制御された他のタッチスクリーン２１を使用する他のユーザが、タッチ操作が受け付けられない理由を他のタッチスクリーン２１の不具合であると誤認することを抑制する。
【００９９】
（変形例１）
上述の第１および第２の実施形態では、ユーザ６によってタッチスクリーン２１がタッチ操作された場合に、他のタッチスクリーン２１上にシャドー画像２３が表示されるものとしたが、シャドー画像２３の代わりに、タッチスクリーン２１がタッチ操作されていることを通知するメッセージが表示されてもよい。
【０１００】
例えば、表示制御装置１の第２の表示制御部１０４，１１０４は、第１タッチスクリーン２１ａがタッチ操作されている場合に、第２タッチスクリーン２１ｂに対して、第１タッチスクリーン２１ａがタッチ操作されていることを通知するメッセージを表示しても良い。本変形例においては、当該メッセージを、第２画像の一例とする。
【０１０１】
（変形例２）
上述の第１および第２の実施形態では、図２に示したように、１つのプロセッサ１０によって各機能が実現されるものとしたが、表示制御装置１のハードウェア構成はこれに限定されるものではない。
【０１０２】
図１０は、本変形例に係る表示制御装置１のハードウェア構成の一例を示す図である。本変形例のプロセッサ１０１０は、例えば、第１の受信部１０１、第１の表示制御部１０２、送信部１０５，１１０５、および排他制御部１０６の機能を実現するものとする。また、本変形例のシャドー画像描画器２０１０ａおよびシャドー画像描画器２０１０ｂは、プロセッサであり、例えば、第２の受信部１０３および第２の表示制御部１０４，１１０４の機能を実現するものとする。
【０１０３】
プロセッサ１０１０を第１のプロセッサ、シャドー画像描画器２０１０ａを第２のプロセッサ、シャドー画像描画器２０１０ｂを第３のプロセッサと呼んでも良い。
【０１０４】
本実施形態のシャドー画像描画器２０１０ａは、デバイスインタフェース１２ａを介して第１表示装置２ａから第１タッチスクリーン２１ａのタッチ座標を受信し、受信したタッチ座標をプロセッサ１０１０に送信する。また、シャドー画像描画器２０１０ｂは、デバイスインタフェース１２ｂを介して第２表示装置２ｂから第２タッチスクリーン２１ｂのタッチ座標を受信し、受信したタッチ座標をプロセッサ１０１０に送信する。プロセッサ１０１０は、シャドー画像描画器２０１０ａから送信された第１タッチスクリーン２１ａのタッチ座標をシャドー画像描画器２０１０ｂに送信する。また、プロセッサ１０１０は、シャドー画像描画器２０１０ｂから送信された第２タッチスクリーン２１ｂのタッチ座標をシャドー画像描画器２０１０ａに送信する。
【０１０５】
シャドー画像描画器２０１０ａおよびシャドー画像描画器２０１０ｂは、第１、第２の実施形態の第２の表示制御部１０４，１１０４と同様に、当該タッチ座標の送信元の表示装置２以外の表示装置２に設けられたタッチスクリーン２１に対して、ディスプレイ画像３０上のタッチ座標に対応する位置に、シャドー画像２３を重畳して表示する。
【０１０６】
なお、複数のプロセッサによって機能を実現する構成は図１０に示す例に限定されるものではない。
【０１０７】
（変形例３）
上述の第１および第２の実施形態では、表示制御装置１側で第１タッチスクリーン２１ａと第２タッチスクリーン２１ｂの表示制御、およびシャドー画像２３の生成を実施していたが、これらの機能の全てまたは一部を第１表示装置２ａおよび第２表示装置２ｂが実施するものとしても良い。
【０１０８】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０１０９】
１  表示制御装置
２  表示装置
２ａ  第１表示装置
２ｂ  第２表示装置
３  情報端末
４  車両
６，６ａ，６ｂ  ユーザ
１０，１０１０  プロセッサ
１１  メモリ
１２ａ，１２ｂ  デバイスインタフェース
１４  ネットワークインタフェース
２１  タッチスクリーン
２１ａ  第１タッチスクリーン
２１ｂ  第２タッチスクリーン
２３，２３ａ〜２３ｄ  シャドー画像
２４  メッセージ
３０  ディスプレイ画像
３１  ディスプレイ
５０ａ，５０ｂ  ケーブル
５１  無線ネットワーク
１０１  第１の受信部
１０２  第１の表示制御部
１０３  第２の受信部
１０４，１１０４  第２の表示制御部
１０５，１１０５  送信部
１０６  排他制御部
２０１０ａ，２０１０ｂ  シャドー画像描画器
Ｐ，Ｐ１〜Ｐ４  タッチ位置
Ｓ  表示制御システム
【図１】
2020057085.tif 000003
【図２】
2020057085.tif 000004
【図３】
2020057085.tif 000005
【図４】
2020057085.tif 000006
【図５】
2020057085.tif 000007
【図６】
2020057085.tif 000008
【図７】
2020057085.tif 000009
【図８】
2020057085.tif 000010
【図９】
2020057085.tif 000011
【図１０】
2020057085.tif 000012